(57)【要約】【課題】レリーズ命令と日時情報とをリモコンからカメラへ送信し、カメラにて日時情報を修正した後、レリーズ動作させる構成とすることにより、ユーザの日時情報設定作業の煩雑さを軽減しつつ正確な日時情報を記録することを目的とする。【解決手段】カメラＣとリモコンＲから成るカメラシステムＳにて、リモコンＲが、標準電波を受信する標準電波受信手段と、レリーズ命令と標準電波に基づく日時情報とをカメラＣに送信する情報送信手段とを備え、カメラＣが、内蔵時計１３と、レリーズ命令と日時情報とをリモコンから受信するリモコン受信回路９と、日時情報に基づき日時情報を修正する時計修正手段（ＣＰＵ１）と、レリーズ命令に基づいてレリーズを行うレリーズ動作手段（ドライバ１６等）と、日時情報の正常な修正後にレリーズを実行させ、当該修正後の日時情報を写し込むよう制御する制御手段（ＣＰＵ１）とを備える。【選択図】  図１
2004294676.tif 000002
【特許請求の範囲】
【請求項１】
カメラと、当該カメラのレリーズ動作を遠隔操作するためのリモコンとを含んで構成されたカメラシステムであって、
前記リモコンが、
ユーザがレリーズ動作を指示するためのレリーズ指示手段と、
標準時刻に関する情報を有する標準電波を受信する標準電波受信手段と、
レリーズ指示手段によりレリーズ動作が指示された場合、前記カメラに対するレリーズ命令信号と、前記標準電波受信手段により受信された標準電波のデータに基づく日時情報とを前記カメラに送信する情報送信手段と、
を備え、
前記カメラが、
基準クロックに基づいて日時情報をカウントアップする時計手段と、
前記レリーズ命令信号と前記日時情報とを前記リモコンから受信する情報受信手段と、
前記情報受信手段により受信された日時情報に基づいて前記時計手段による日時情報を修正する時計修正手段と、
前記情報受信手段により受信されたレリーズ命令信号に基づいてレリーズ動作を行うレリーズ動作手段と、
前記時計修正手段により正常な日時情報に基づく日時情報の修正が行われた場合に、当該修正後にレリーズ動作が行われるよう前記レリーズ動作手段を制御し、当該修正後の日時情報を画像記録媒体に記録するよう制御する制御手段と、
を備えたことを特徴とするカメラシステム。
【請求項２】
前記制御手段は、前記情報受信手段により日時情報が正常に受信されなかった場合、前記時計修正手段による日時情報の修正及び画像記録媒体への日時情報の記録を回避し、前記レリーズ動作手段によるレリーズ動作のみが行われるよう制御することを特徴とする請求項１記載のカメラシステム。
【請求項３】
前記制御手段は、前記情報受信手段により日時情報が正常に受信されなかった場合、日時情報について修正履歴があれば、前記レリーズ動作手段によるレリーズ動作に加え、当該修正履歴に基づく修正後の日時情報を画像記録媒体に記録するよう制御することを特徴とする請求項１記載のカメラシステム。
【発明の詳細な説明】
【０００１】
【発明の属する技術分野】
本発明は、標準時刻に関する情報を有する標準電波を受信し、それに基づいて日時情報を修正することができるカメラシステムに関する。ここで、日時情報とは、時刻及び日付の情報、例えば、時分秒の情報及び年月日の情報をいう。
【０００２】
【従来の技術】
従来、このような分野に属する技術として、下記の特許文献１には、腕時計等の時計装置の時刻情報を送受信手段によりカメラに転送可能とする技術が開示されている。また、下記の特許文献２には、カメラ本体とリモコンから成るカメラシステムにおいて、リモコンによるレリーズ時にレリーズ命令信号とともに、フィルムに記録する情報を、リモコンからカメラへ送信する技術が開示されている。
【０００３】
【特許文献１】
特開２００１−１３５７４号公報
【特許文献２】
特開平１１−３５２５７３号公報
【０００４】
【発明が解決しようとする課題】
撮影時にはフィルムに日時情報を記録することが可能なカメラが一般的である。この日時情報はカメラ内蔵時計によるものである。このため、カメラの電池交換時に内蔵時計をセットし忘れたり、セットしてから長時間経過すると、狂った日時情報をフィルムに記録してしまうことがある。
【０００５】
上記の特許文献１の図５に記載されているように、カメラのレリーズ時に時計に日時情報要求信号を送信すると、カメラに時計から正確な日時情報が送信される。このような時計があれば、日時が正確になりユーザの便宜に資する。しかし、時計を常に日時情報要求信号を受信可能な状態にしておく必要が生じ、時計の電池寿命を短くしてしまうという問題点がある。
【０００６】
また、上記の特許文献２の技術では、フィルムに記録する文字情報を送信することが開示されているが、刻々と変化する日時情報をカメラへ送信することは考慮されていない。
【０００７】
本発明は、上記課題を解決するために成されたものであり、ユーザの日時情報設定作業の煩雑さを軽減しつつ、正確な日時情報を記録することができるカメラシステムを提供することを目的とする。
【０００８】
【課題を解決するための手段】
上記目的を達成するために、本発明に係るカメラシステムは、カメラと、当該カメラのレリーズ動作を遠隔操作するためのリモコンとを含んで構成されたカメラシステムであって、リモコンが、ユーザがレリーズ動作を指示するためのレリーズ指示手段と、標準時刻に関する情報を有する標準電波を受信する標準電波受信手段と、レリーズ指示手段によりレリーズ動作が指示された場合、カメラに対するレリーズ命令信号と、標準電波受信手段により受信された標準電波のデータに基づく日時情報とをカメラに送信する情報送信手段とを備え、カメラが、基準クロックに基づいて日時情報をカウントアップする時計手段と、レリーズ命令信号と日時情報とをリモコンから受信する情報受信手段と、情報受信手段により受信された日時情報に基づいて時計手段による日時情報を修正する時計修正手段と、情報受信手段により受信されたレリーズ命令信号に基づいてレリーズ動作を行うレリーズ動作手段と、時計修正手段により正常な日時情報に基づく日時情報の修正が行われた場合に、当該修正後にレリーズ動作が行われるようレリーズ動作手段を制御し、当該修正後の日時情報を画像記録媒体に記録するよう制御する制御手段とを備えたことを特徴とする。
【０００９】
このようなカメラシステムでは、リモコンが、標準時刻に関する情報を有する標準電波を受信する標準電波受信手段を備えており、ユーザがリモコンのレリーズ指示手段によりレリーズ動作を指示すると、情報送信手段が、カメラに対するレリーズ命令信号と、標準電波受信手段により受信された標準電波のデータに基づく日時情報とをカメラに送信する。
【００１０】
一方のカメラは、基準クロックに基づいて日時情報をカウントアップする時計手段を備えており、情報受信手段によりレリーズ命令信号と日時情報とをリモコンから受信し、時計修正手段により正常な日時情報に基づく日時情報の修正が行われた場合、制御手段が、当該修正後にレリーズ動作が行われるようレリーズ動作手段を制御し、当該修正後の日時情報を画像記録媒体に記録するよう制御する。
【００１１】
これにより、リモコン操作によってレリーズする際に、カメラの日時情報が標準電波に基づく正常な日時情報に自動的に修正され、当該修正後にレリーズ動作が行われるとともに当該修正後の日時情報が画像記録媒体に自動的に記録されるため、ユーザの日時情報設定作業の煩雑さを軽減しつつ、正確な日時情報を記録することができる。
【００１２】
また、本発明に係るカメラシステムでは、より好ましくは、制御手段は、情報受信手段により日時情報が正常に受信されなかった場合、時計修正手段による日時情報の修正及び画像記録媒体への日時情報の記録を回避し、レリーズ動作手段によるレリーズ動作のみが行われるよう制御することを特徴とする。
【００１３】
この場合、情報受信手段により日時情報が正常に受信されなかった場合には、制御手段が、時計修正手段による日時情報の修正及び画像記録媒体への日時情報の記録を回避し、レリーズ動作手段によるレリーズ動作のみが行われるよう制御するため、正常でない日時情報をもって、時計修正手段による日時情報の修正及び画像記録媒体への日時情報の記録が行われるといった不都合を自動的に回避することができるとともに、レリーズ動作手段によるレリーズ動作は確実に実行することができる。
【００１４】
また、本発明に係るカメラシステムでは、より好ましくは、制御手段は、情報受信手段により日時情報が正常に受信されなかった場合、日時情報について修正履歴があれば、レリーズ動作手段によるレリーズ動作に加え、当該修正履歴に基づく修正後の日時情報を画像記録媒体に記録するよう制御することを特徴とする。
【００１５】
日時情報について修正履歴がある場合、例えばカメラの電池装填以後、ユーザが手動で日時情報について修正していた場合等は、日時情報が実際の日時と極端にずれている可能性は低いといえる。そこで、上記のように、情報受信手段により日時情報が正常に受信されなかった場合であっても、日時情報について修正履歴があれば、制御手段が、レリーズ動作手段によるレリーズ動作に加え、当該修正履歴に基づく修正後の日時情報を画像記録媒体に記録するよう制御するため、レリーズ動作手段によるレリーズ動作を確実に実行するとともに、修正履歴に基づく修正後の日時情報（実際の日時に近い日時情報）を画像記録媒体に自動的に記録することができる。
【００１６】
【発明の実施の形態】
以下、添付図面に基づき、本発明における実施の形態について説明する。尚、各図において同一要素には同一符号を付して説明を省略する。
【００１７】
図１は、本発明の実施形態によるカメラシステムＳの電気的構成を示すブロック図である。同図に示すように、カメラシステムＳは、カメラＣとリモコンＲ（図２を用いて後述）とから構成される。
【００１８】
図１に示すように、カメラＣにはＣＰＵ１が設けられている。ＣＰＵ１は、カメラＣ全体の制御を行うものであり、制御・演算処理のためのプログラムを予め記憶しているＲＯＭ２及び制御・演算の際に各種データを記憶するＲＡＭ３を内蔵している。
【００１９】
更に、ＣＰＵ１には、電源回路４、ＬＣＤ５、ブザー（アラーム）６、ＬＥＤ群７、デート写し込み部８、リモコン受信回路９、ストロボ回路１０、測光回路１１、ＡＦ回路１２、内蔵時計１３、ＥＥＰＲＯＭ１４、スイッチ群１５、モータドライバ１６、鏡胴駆動部１７、フィルム給送部１８、及びシャッタ駆動部１９が接続されている。
【００２０】
電源回路４は、ＣＰＵ１に電力を供給するものであり、この電力供給によりＣＰＵ１を動作させる。ＬＣＤ５は、撮影モードなどを表すマークや、デート表示のための数字を表示するものである。ストロボ回路１０は、ストロボ窓内に設けられた発光体を有し、ＣＰＵ１による制御の下、選択された撮影モード（ストロボ発光態様等に関するモード）に従って発光体をストロボ発光させる。測光回路１１は、測光センサなどにより構成されている。ＡＦ回路１２は、ＡＦ投光窓およびＡＦ受光窓それぞれの中に発光体および受光体それぞれを有し、これら発光体および受光体を用いた三角測距の原理により、ＣＰＵ１による指示により被写体までの距離を測定し、その測定結果をＣＰＵ１に送る。
【００２１】
内蔵時計１３は、カメラＣ内の基準クロックに基づいて時刻および日付をカウントアップする時計処理を行う時計手段である。ＥＥＰＲＯＭ１４は、各時点におけるカメラの状態、各種の制御パラメータ等を記憶する。スイッチ群１５は、シャッタレリーズを行うシャッタボタン、撮影モードを設定するためのモードスイッチ、セルフタイマ撮影を設定するためのセルフタイマスイッチ、カメラの撮影可能状態、撮影不可能状態を切り替えるメインスイッチ、ズーミングを行うためのズームスイッチ（ＴＥＬＥスイッチ、ＷＩＤＥスイッチ）、フィルム装填及び取り出し時に裏蓋の開閉を検出する裏蓋開閉スイッチ、フィルムの途中巻戻しを指示するＭＲスイッチ、標準電波の受信開始を手動で行うための手動受信スイッチなどにより構成されている。
【００２２】
モータドライバ１６は、ＣＰＵ１からの制御信号を受けて鏡胴駆動部１７、フィルム給送部１８及びシャッタ駆動部１９に駆動信号を出力するものである。鏡胴駆動部１７は、レンズ鏡胴の繰り出し及び繰り込みの駆動を行うものであり、図示しないモータを備えている。このモータは、鏡胴を駆動するためのモータであり、モータドライバ１６の駆動信号を受けて駆動する。フィルム給送部１８は、ＣＰＵ１による指示に従い、装填されているフィルムパトローネのフィルムを順方向または逆方向に給送する。シャッタ駆動部１９は、シャッタ駆動を行うものであり、モータドライバ１６の駆動信号を受けて作動する。
【００２３】
図２は、リモコンＲの電気的構成を示すブロック図である。同図に示すように、リモコンＲには、リモコンＲ全体の制御を行うＣＰＵ３０が設けられている。このＣＰＵ３０においても、制御・演算処理のためのプログラムを予め記憶しているＲＯＭ３１、及び制御・演算の際に各種データを記憶するＲＡＭ３２が内蔵されている。
【００２４】
また、ＣＰＵ３０には、電源回路３３、ＬＣＤ３４、ブザー（アラーム）３５、リモコン送信回路３６、標準電波受信回路３７、ＥＥＰＲＯＭ３８、及びスイッチ群３９が接続されている。更に、リモコンには受信アンテナ４０が設けられている。
【００２５】
このうち標準電波受信回路３７は、受信アンテナ４０により標準電波を受信し、当該標準電波に含まれるデータをＣＰＵ３０に送る。なお、これら標準電波受信回路３７及び受信アンテナ４０以外の構成部については、前述した図１のカメラＣの構成と同様であるため、その説明は省略する。
【００２６】
図３にはリモコンＲの外観図を示すが、同図に示すように、リモコンＲには、表示部としてのＬＣＤ３４と、レリーズ指示と日時情報送信操作とを行うためのレリーズスイッチ３９Ａと、日付表示と時刻表示とを相互に切り替えるためのデートスイッチ３９Ｂと、モード等の設定スイッチ３９Ｃとが設けられている。
【００２７】
次に、本実施形態における処理動作として、カメラＣにて実行される図４のリモコン受信処理を説明する。リモコンＲから送信された信号（以下「リモコン送信信号」という。）がカメラＣにて受信されると、カメラＣのＣＰＵ１により図４のリモコン受信処理が実行開始される。
【００２８】
まず、処理の説明に先立ち、本発明の処理に関連するリモコン送信信号（即ち、図５のレリーズ命令と日時情報送信とを組み合わせた信号）を概説する。図５に示すように、リモコン送信信号は、レリーズ命令コード部分と実際の時刻データ部分とから構成される。このうち、レリーズ命令コード部分は、ヘッダーＨＤと、これに続く複数のレリーズ命令コードＣ１、Ｃ２から構成される。実際の時刻データ部分は、例えば、日時情報のうち年を表す年データＣ３、月を表す月データＣ４、日を表す日データＣ５、時を表す時データＣ６、分を表す分データＣ７、及び秒を表す秒データＣ８を含んで構成される。
【００２９】
上記リモコン送信信号の構成を踏まえ、図４のＳ１０ではリモコン送信信号の中のヘッダーＨＤの通過を検知する。ヘッダーＨＤの通過が検知されると、図５のレリーズ命令コードＣ１以降が後に続くと判断できるため、Ｓ１２へ進み、命令コードの受信回数をカウントするための命令受信カウンタを０にリセットし、Ｓ１４にて、レリーズ命令コードを正常に受信できたことを表すためのレリーズコードＯＫフラグをリセットする。これにより、命令コード受信のための初期設定が完了する。なお、命令受信カウンタ及びレリーズコードＯＫフラグは、ＣＰＵ１がＲＡＭ３の記憶領域内に設定・記憶するものとする。
【００３０】
そして、Ｓ１６にて命令コードを受信すると、Ｓ１８にて命令受信カウンタを１つカウントアップする。次のＳ２０では、Ｓ１６で受信した命令コードがレリーズ命令コードであるか否かを判断する。Ｓ１６で受信した命令コードがレリーズ命令コードであれば、Ｓ２２へ進みレリーズコードＯＫフラグをセットし、Ｓ１６で受信した命令コードがレリーズ命令コードでなければ、Ｓ２２の処理をせずにＳ２４へ進む。
【００３１】
Ｓ２４では、その時点の命令受信カウンタが２になったか否かを判断する。即ち、本実施形態のリモコン送信信号では図５のようにレリーズ命令コードが２つ続くため、命令受信カウンタが２になったときに、後述の日時情報の設定（Ｓ２８〜Ｓ５６）へ移るようにしたものである。
【００３２】
図５のレリーズ命令コードＣ１のみを受信した段階では、命令受信カウンタは「１」であるため、Ｓ２４では否定判断されＳ１６へ戻り、後続のレリーズ命令コードＣ２を受信して、上記同様にＳ１８〜Ｓ２４を実行する。
【００３３】
図５のレリーズ命令コードＣ２を受信した段階では、命令受信カウンタは「２」であるため、Ｓ２４では肯定判断されＳ２６へ進み、その時点でレリーズコードＯＫフラグがセットされた状態か否かを判断する。図５のレリーズ命令コードＣ１及びＣ２が正常に受信されず、Ｓ２２のレリーズコードＯＫフラグのセットがされていなければ、Ｓ２６では否定判断され、カメラＣのレリーズ処理及び日時情報の修正は行わずに、図４の処理を終了する。
【００３４】
一方、図５のレリーズ命令コードＣ１又はＣ２が正常に受信され、Ｓ２２でレリーズコードＯＫフラグがセットされていれば、Ｓ２６では肯定判断され、Ｓ２８以降の日時情報の設定に移る。
【００３５】
即ち、Ｓ２８では図５の年データＣ３の受信を試行し、年データＣ３を正常に受信できたらＳ３２へ進み、年データＣ３を正常に受信できなかったら後述のＳ５８へ進む。Ｓ３２では月データＣ４の受信を試行し、月データＣ４を正常に受信できたらＳ３６へ進み、月データＣ４を正常に受信できなかったら後述のＳ５８へ進む。Ｓ３６では日データＣ５の受信を試行し、日データＣ５を正常に受信できたらＳ４０へ進み、日データＣ５を正常に受信できなかったら後述のＳ５８へ進む。
【００３６】
さらに、Ｓ４０では時データＣ６の受信を試行し、時データＣ６を正常に受信できたらＳ４４へ進み、時データＣ６を正常に受信できなかったら後述のＳ５８へ進む。Ｓ４４では分データＣ７の受信を試行し、分データＣ７を正常に受信できたらＳ４８へ進み、分データＣ７を正常に受信できなかったら後述のＳ５８へ進む。Ｓ４８では秒データＣ８の受信を試行し、秒データＣ８を正常に受信できたらＳ５２へ進み、秒データＣ８を正常に受信できなかったら後述のＳ５８へ進む。
【００３７】
年データＣ３等の何れかを正常に受信できなかった場合に進むＳ５８では、カメラＣのレリーズ処理のみを行い、日時情報の修正は行わずに、図４の処理を終了する。
【００３８】
一方、年データＣ３等の全てを正常に受信できた場合に進むＳ５２では、日時情報（年、月、日、時、分、秒の全ての情報）を修正し、当該修正後にＳ５４にてカメラＣのレリーズ処理を行う。そして、Ｓ５６にて修正後の日時情報を写真フィルムへ写し込んで、図４の処理を終了する。なお、Ｓ５６の写し込みは、例えば、１３５フィルムの給送中に光を点滅させることで数ドット（例えば７ドット）の点列状のデータとして日時情報を当該１３５フィルムに記録してもよい。また、ＡＰＳカメラで用いられるＩＸ２４０フィルムの磁気層に日時情報を記録してもよい。
【００３９】
以上のような図４の処理によれば、リモコン操作によってレリーズする際に、カメラの日時情報が、リモコンＲで受信した標準電波に基づく正常な日時情報によって自動的に修正され、当該修正後にレリーズ動作が行われる。
【００４０】
また、当該修正後の日時情報がフィルムに自動的に記録されるため、ユーザの日時情報設定作業の煩雑さを軽減しつつ、正確な日時情報を記録することができる。
【００４１】
更に、日時情報の何れかが正常に受信されなかった場合には、日時情報の修正及びフィルムへの日時情報の写し込みを回避し、レリーズ動作のみが行われるため、正常でない日時情報をもって、日時情報の修正及びフィルムへの日時情報の写し込みが行われるといった不都合を自動的に回避することができるとともに、レリーズ動作は確実に実行することができる。
【００４２】
次に、本実施形態によるカメラＣにおけるＬＣＤ表示について説明する。
【００４３】
図６は、本実施形態によるカメラＣにおけるＬＣＤの全表示の一例を示す図である。同図において、ＬＣＤ５は表示領域５０を有し、この表示領域５０内には、年、月、日、時、分、秒に関する日付表示５８、リモコンモードであることを示すリモコンモード表示５９、電池マーク表示６０などが設けられている。
【００４４】
図７（ａ）、（ｂ）はリモコン送信信号の受信前・受信後でのカメラのＬＣＤの表示例を示す。図７（ａ）では、フィルムカウントが２４枚、日付が２００２年１月１日、バッテリチェックがＯＫ状態であり、リモコンモードに設定されていることを示している。この状態でリモコン送信信号を受信し図４の処理を実行することで、図７（ｂ）の表示となる。即ち、図７（ｂ）では、図７（ａ）の表示において、日付が２００２年４月３０日に自動的に修正されたことを示している。
【００４５】
図８は、リモコンＲにおけるＬＣＤ３４の全表示の一例を示す図である。同図において、ＬＣＤ３４は表示領域６２を有し、この表示領域６２内において、受信中表示５２、正常受信表示５４、非正常受信表示５６が表示されるようになっている。例えば、受信中表示５２は「受信中」の文字により構成され、正常受信表示５４は「受信ＯＫ」の文字により構成され、非正常受信表示５６は「受信ＮＧ」の文字により構成される。また、表示領域６２内には、年、月、日、時、分、秒に関する日付表示５８、リモコンモードであることを示すリモコンモード表示５９、電池マーク表示６０などが設けられている。尚、受信中表示５２、正常受信表示５４、非正常受信表示５６の表示は、上記のような文字に限らず、アンテナマーク等の絵柄による表示であってもよい。
【００４６】
図９は、時刻および日付が確定した場合のリモコンＲのＬＣＤ表示の流れの一例を示す図である。同図において、標準電波の受信中は、図９（ａ）に示すように表示領域６２内には、「受信中」文字５２および電池マーク表示６０の点灯と、ハイフン「−」（表示５８）の表示がされる。そして、受信が終了すると、図９（ｂ）に示すように表示領域６２内には、「受信中」文字５２が消灯し、「受信ＯＫ」文字５４が点灯され、表示５８には確定した日付（ここでは２００２年４月３０日）が表示される。この状態で、図３のリモコンＲに設けられた画面切り替え用スイッチであるデートスイッチ３９Ｂを押すと、図９（ｃ）に示すように表示５８は日付表示から時刻表示に切り替わる。この状態で、再びデートスイッチ３９Ｂを押すと、図９（ｂ）に示す表示に戻る。即ち、デートスイッチ３９Ｂを押す毎に、図９（ｂ）の表示と図９（ｃ）の表示とが切り替わるようになっている。
【００４７】
ところで、前述した図４のリモコン受信処理については、図１０のような変形態様も採用しうる。即ち、カメラにて、日時情報が正常に受信されなかった場合であっても、日時情報について修正履歴があれば、レリーズ動作に加え、当該修正履歴に基づく修正後の日時情報を写真フィルムへ写し込むよう動作するものである。
【００４８】
具体的には、図１０に示すように、カメラにて、日時情報が正常に受信されなかった場合、Ｓ５３にてレリーズ処理した後、Ｓ５５で日時情報について修正履歴があるか否かを判断する。ここで、修正履歴がなければ、そのまま処理を終了するが、修正履歴があれば、Ｓ５６にて、当該修正履歴に基づく修正後の日時情報を写真フィルムへ写し込んで、図１０の処理を終了する。
【００４９】
一般に、日時情報について修正履歴がある場合、例えばカメラの電池装填以後、ユーザが手動で日時情報について修正していた場合等は、日時情報が実際の日時と極端にずれている可能性は低いといえる。そこで、上記のように、日時情報が正常に受信されなかった場合であっても、日時情報について修正履歴があれば、当該修正履歴に基づく修正後の日時情報を写真フィルムに記録する制御を行えば、修正履歴に基づく修正後の日時情報（実際の日時に近い日時情報）を写真フィルムに自動的に記録することができる。
【００５０】
以上、本発明の実施形態を添付図面に基づき説明したが、本発明は上記実施形態に限定されるものではない。また、本発明に係るカメラは、１３５フィルムを使用するカメラや、ＩＸ２４０フィルムを使用するＡＰＳカメラ等以外に、デジタルカメラやビデオカメラ等にも適用可能である。その中でも１３５フィルムを使用するカメラにおいては、ユーザーが日付情報（年、月、日）をフィルムに記録することを選ぶことが多いため特に有効となる。
【００５１】
【発明の効果】
以上説明したように、本発明によれば、リモコン操作によってレリーズする際に、カメラの日時情報が標準電波に基づく正常な日時情報に自動的に修正され、当該修正後にレリーズ動作が行われるとともに当該修正後の日時情報が画像記録媒体に自動的に記録されるため、ユーザの日時情報設定作業の煩雑さを軽減しつつ、正確な日時情報を記録することができる。
【図面の簡単な説明】
【図１】発明の実施形態におけるカメラシステムの電気的構成を示すブロック図である。
【図２】リモコンの電気的構成を示すブロック図である。
【図３】リモコンの外観図である。
【図４】カメラにて実行されるリモコン受信処理を示す流れ図である。
【図５】リモコン送信信号の内容を示す図である。
【図６】カメラのＬＣＤでの全表示の一例を示す図である。
【図７】（ａ）はリモコン送信信号の受信前でのカメラのＬＣＤの表示例を示す図であり、（ｂ）はリモコン送信信号の受信後でのカメラのＬＣＤの表示例を示す図である。
【図８】リモコンのＬＣＤでの全表示の一例を示す図である。
【図９】時刻および日付が確定した場合のリモコンのＬＣＤ表示の流れの一例を示す図であり、（ａ）は標準電波の受信中の表示例を、（ｂ）は標準電波の受信後の日付表示例を、（ｃ）は標準電波の受信後の時刻表示例を、それぞれ示す。
【図１０】リモコン受信処理の別の例を示す流れ図である。
【符号の説明】
１…ＣＰＵ、２…ＲＯＭ、３…ＲＡＭ、４…電源回路、５…ＬＣＤ、６…ブザー、７…ＬＥＤ群、８…デート写し込み部、９…リモコン受信回路、１０…ストロボ回路、１１…測光回路、１２…ＡＦ回路、１３…内蔵時計、１４…ＥＥＰＲＯＭ、１５…スイッチ群、１６…モータドライバ、１７…鏡胴駆動部、１８…フィルム給送部、１９…シャッタ駆動部、３０…ＣＰＵ、３１…ＲＯＭ、３２…ＲＡＭ、３３…電源回路、３４…ＬＣＤ、３５…ブザー、３６…リモコン送信回路、３７…標準電波受信回路、３８…ＥＥＰＲＯＭ、３９…スイッチ群、３９Ａ…レリーズスイッチ、３９Ｂ…デートスイッチ、３９Ｃ…設定スイッチ、４０…受信アンテナ、Ｃ…カメラ、Ｒ…リモコン、Ｓ…カメラシステム。
【図１】
2004294676.tif 000003
【図２】
2004294676.tif 000004
【図３】
2004294676.tif 000005
【図４】
2004294676.tif 000006
【図５】
2004294676.tif 000007
【図６】
2004294676.tif 000008
【図７】
2004294676.tif 000009
【図８】
2004294676.tif 000010
【図９】
2004294676.tif 000011
【図１０】
2004294676.tif 000012